(57)【要約】【課題】通常燃焼時は燃焼量と対流フアンの能力は相関関係にあるが、前外郭ケースを外した場合は、フアンモーターの特性にて回転数を増加させる傾向にある。前外郭ケース外した場合、燃焼能力変化時に吹き消えが発生する。【解決手段】本発明は上記課題を解決するために、前外郭ケース１６を外した場合は対流ファン４の回転数を低下させて能力変化時の吹き消えを防止し、且つ対流用ファン４の回転数低下による燃焼室温度の上昇を、過熱温度検出器１１が所定の温度になると、ファン回転数を任意に増加させ演算制御部を備えてる。【選択図】  図１
2004184032.tif 000002
【特許請求の範囲】
【請求項１】
ガスを燃焼するバーナーと、燃焼により発生した温風と、対流用フィルターを通過して外部から取り込んだ空気とを混合する燃焼室と、温風を送出する対流ファンと、温風を吹出す温風吹出口で構成された温風暖房器において、前外郭ケースを外した状態にての運転開始後の対流フアン回転数低下制御と、対流ファン回転数低下による燃焼室内の異常過熱を検出する過熱温度検出器の出力と、ファン回転数を連動する制御装置を設け、過熱温度検出器が異常過熱温度を検出すると、対流用ファンの回転数を増加制御する演算制御装置を備えた温風暖房装置。
【請求項２】
演算制御装置は、過熱温度検出器が異常過熱を検出した際に対流ファンの回転数増加を開始し、過熱温度検出器が所定の温度に到達するまで、対流ファンの回転数を所定の回転数まで増加させることを特徴とした請求項１記載の温風暖房装置。
【請求項３】
演算制御装置は、過熱温度検出器が異常過熱を検出した際に各燃焼量毎に定められた所定の温度以上になれば、対流ファンの回転数増加を開始し、過熱温度検出器が各燃焼量毎に定められた所定の温度に到達するまで、対流ファンの回転数を各燃焼量毎に定められた所定の回転数まで増加させることを特徴とした請求項１または２記載の温風暖房装置。
【請求項４】
演算制御装置は、過熱温度検出器が異常過熱を検出した際に所定の燃焼量にて区分し、区分された所定の燃焼量以上であれば過熱温度検出器が第１の所定の温度に到達するまで、対流ファンの回転数増加を開始し、過熱温度検出器が区分された第１の所定の温度に到達するまで、対流ファンの回転数を区分された第２の所定の回転数まで増加させる。また区分された所定の燃焼量以下であれば過熱温度検出器が第３の所定の温度に到達するまで、対流ファンの回転数増加を開始し、過熱温度検出器が区分された第３の所定の温度に到達するまで、対流ファンの回転数を区分された第４の所定の回転数まで増加させることを特徴とした請求項１〜３のいずれか１項に記載の温風暖装置。
【請求項５】
演算制御装置は、過熱温度検出器が異常過熱を検出した際に所定の温度以上になれば、対流ファンの回転数増加を開始し所定の回転数まで増加させることを特徴とした請求項１〜４のいずれか１項に記載の温風暖房装置。
【請求項６】
演算制御装置は、過熱温度検出器が異常過熱を検出した際に所定の燃焼量にて区分し、区分された所定の燃焼量以上であれば過熱温度検出器が第５の所定の温度に到達すれば、対流ファンの回転数増加を開始し、また区分された所定の燃焼量以下であれば過熱温度検出器が第６の所定の温度に到達すれば、対流ファンの回転数増加を開始しさせることを特徴とした請求項１〜５のいずれか１項に記載の温風暖房装置。
【請求項７】
演算制御装置は、過熱温度検出器が異常過熱を検出した際に対流ファンの回転数増加を開始し、過熱温度検出器が第７の所定の温度に到達するまで、対流ファンの回転数を所定の回転数まで増加させ、過熱温度検出器が第８の所定の温度にて燃焼を停止することを特徴とした請求項１記載の温風暖房装置。
【発明の詳細な説明】
【０００１】
【発明の属する技術分野】
本発明は温風暖房装置の構成に関するものである。
【０００２】
【従来の技術】
従来の温風暖房装置を図９に示す。
【０００３】
温風暖房部は、バーナー１と、供給されたガスの燃焼を行い燃焼により発生した排ガスと空気を混合する燃焼室２と、バーナー１の下方には温風３を送り出すための対流ファン４と、対流ファン４の前方には温風吹出口５が前外郭ケース１６に取付けられている。後外郭ケース１６の後面には対流用空気７を取り入れるための対流用フィルター８がある。バーナー１でガスを燃焼させ、発生する高温の燃焼排ガス９と、燃焼室２の燃焼風路１０内で対流用フィルター８を通過した対流用空気７ａが混合される。混合された温風は、対流ファン４によって前面下部の温風吹出口５から温風３となって吹出され暖房を行う。対流用フィルター８にほこりが詰まると対流用空気７の流入が減少し燃焼室２の内部温度が上昇する。この燃焼室２内部の温度上昇を検知するため過熱温度検出器１１が備えられている。暖房運転時は希望の室温にするため、室温調節スイツチがついており、希望の温度に設定すると、室温検出器１２にて室温を検出し、主制御装置１３に伝え演算し、室温設定温度を維持するためのガス量をガス燃焼用制御部１５と対流ファン４に制御信号を送り、ガス量と対流ファン４の能力を調整し設定室温を維持する。能力変化は例えば、最大〜最小まで７段階の能力制御を行う。対流用フィルター８のほこり詰まりにて対流用空気７が減少した場合、燃焼室２の温度が上昇し過熱温度検出器１１が燃焼室２の温度上昇を検出し、所定の値になれば主制御装置１３が運転停止指示し，暖房運転停止する。
【０００４】
１３は主制御装置であり、対流ファン４を駆動させるフアンモーターと、ガス燃焼用制御部１５と対流用フィルター８の内側に取付けられた室温検出器１２と過熱温度検出器１１は図の破線のように電気的に接続され、これらを制御している。
【０００５】
【発明が解決しようとする課題】
しかしながら従来の構成では、次のような課題があった。通常燃焼時は燃焼量と対流フアン４の能力は相関関係にあり、燃焼量が増すと対流フアン４の能力も増し、燃焼量が減少すると対流フアン４の能力も減少する。しかし修理時等に前外郭ケース１６が外されると、対流用フィルター８より対流空気７の流入が減少し、燃焼室２の内部温度が上昇する。対流用フィルター８より対流用空気７の流入が減少した場合、対流フアン４に対する負荷が減少するため、フアンモーターの特性にて回転数を増加させる傾向にある。この様な前外郭ケース１６が外された場合は、運転時初期空気過剰となり、ガス燃焼能力が最小能力時や、最大燃焼時から最小能力変化時、燃焼火炎の吹き消えが発生したり、燃焼室２内の対流用空気７ａも減少するため、運転開始後早期に燃焼室２が過熱され、過熱温度検出器１１が所定の異常過熱検出値に到達し運転停止する。運転後数分間燃焼すると燃焼状態が安定し吹き消えは無くなるが、早期に燃焼室２が過熱され、過熱温度検出器１１が所定の異常過熱検出値に到達し運転停止する。
【０００６】
【課題を解決するための手段】
本発明は上記課題を解決するために、ガスを燃焼するバーナーと、燃焼により発生した温風と、対流用フィルターを通過して外部から取り込んだ空気とを混合する燃焼室と、温風を送出する対流ファンと、温風を吹出す温風吹出口で構成された温風暖房器において、前外郭ケースを外した状態にての運転開始後の対流フアン回転数低下制御と、対流ファン回転数低下による燃焼室内の異常過熱を検出する過熱温度検出器の出力と、ファン回転数を連動する制御装置を設け、過熱温度検出器が異常過熱温度を検出すると、対流用ファンの回転数を増加制御する演算制御装置を備えたものである。修理等における前外郭ケースが外された状態にて燃焼能力を変化させるときは、演算制御装置に組み込まれた、能力変化スイッチを押すことにより、燃焼能力変化時のファン回転数を所定のファン回転数まで低下させ運転を行う。またファン回転数を低下させることにより燃焼室内温度が上昇するため過熱温度検出器が所定の温度になると、フアン回転数を増加させ、燃焼室内の温度を低下させる。運転後初期に燃焼能力を変化させると吹き消え現象が発生するが、ファン回転数を低下させているため燃焼安定時間が短縮される。従って回転数を低下後、燃焼室内温度が上昇し過熱温度検出器が所定の温度になってフアン回転数を増加させても吹き消え現象は発生しない。修理完了時は再度演算制御装置に組み込まれた能力変化スイッチを押すと通常運転制御になる。
【０００７】
【発明の実施の形態】
請求項１に記載の発明は、ガスを燃焼するバーナーと、燃焼により発生した温風と、対流用フィルターを通過して外部から取り込んだ空気とを混合する燃焼室と、温風を送出する対流ファンと、温風を吹出す温風吹出口で構成された温風暖房器において、前外郭ケースを外した状態にての運転開始後の対流フアン回転数低下制御と、対流ファン回転数低下による燃焼室内の異常過熱を検出する過熱温度検出器の出力と、ファン回転数を連動する制御装置を設け、過熱温度検出器が異常過熱温度を検出すると、対流用ファンの回転数を増加制御する演算制御装置を備えたものである。前外郭ケース、又は、温風吹出口を外した状態にての運転開始後演算制御装置の能力切替スィッチを操作することにより、対流フアン回転数を低下させ、ファン回転数を低下させるため、燃焼室内の温度上昇を検出する過熱温度検出器の出力と、ファン回転数を連動する制御装置を設け、過熱温度検出器が異常過熱温度を検出すると、対流用ファンの回転数を増加させ、燃焼室内の温度上昇を緩やかにさせる。
【０００８】
請求項２に記載の発明は、請求項１に加えて、過熱温度検出器が温度上昇を検出した際に対流ファンの回転数増加を開始し、過熱温度検出器が所定の温度に到達するまで対流ファンの回転数を所定の回転数まで増加させる制御を行うことによって、燃焼室内の温度上昇によって燃焼室内の温度は高くなっているが、過熱温度検出器が所定の温度に到達するまで対流ファンの回転数を所定の回転数まで増加させることにより、燃焼室内の急激な温度上昇を無くすことができ、所定の過熱温度検出器の温度にて異常過熱時の温度検知を行うことができる。
【０００９】
請求項３に記載の発明は、請求項１、２に加えて、過熱温度検出器が温度上昇を検出した際に各燃焼量毎に定められた所定の値になれば、対流ファンの回転数増加を開始し、過熱温度検出器が各燃焼量毎に定められた所定の温度に到達するまで、対流ファンの回転数を所定の回転数まで増加させることを行うことによって、燃焼量が強より弱の時の燃焼室内の温度を低くし、所定の過熱温度検出器の温度にて異常過熱時の温度検知を行うことができる。
【００１０】
請求項４に記載の発明は、請求項１〜３に加えて、過熱温度検出器が温度上昇を検出した際に所定の燃焼量にて区分し、区分された燃焼量以上と以下にて所定の値になれば、対流ファンの回転数増加を開始し、過熱温度検出器が区分された所定の温度に到達するまで、対流ファンの回転数を所定の回転数まで増加させることを行うことによって、燃焼量が強から弱の中間域又は、数段階にて区分することにより、燃焼量が強より弱の時の燃焼室内の温度を低くし、所定の過熱温度検出器の温度にて異常過熱時の温度検知を行うことができる。
【００１１】
請求項５に記載の発明は、請求項１〜４に加えて、過熱温度検出器が温度上昇を検出した際に所定の温度以上になれば、対流ファンの回転数増加を開始し所定の回転数まで増加させることを行うことによって、ファン回転数の増加開始を所定の温度以上より開始することにて、通常時のファン回転数を安定させ、且つ器具個々のファン回転数バラツキ等による誤動作を防ぐ。
【００１２】
請求項６に記載の発明は、請求項１〜５に加えて、過熱温度検出器が温度上昇を検出した際に所定の燃焼量にて区分し、区分された燃焼量以上と以下にて所定の温度以上になれば、対流ファンの回転数増加を開始し、過熱温度検出器が区分された所定の温度に到達するまで、対流ファンの回転数を所定の回転数まで増加させることにて、燃焼量が強から弱の中間域又は、数段階にて区分することにより、燃焼量が強より弱の時の燃焼室内の温度を低くし、通常時のファン回転数を安定させ、且つ器具個々のファン回転数バラツキ等による誤動作を防ぐ。
【００１３】
請求項７に記載の発明は、請求項１に加えて、過熱温度検出器が温度上昇を検出した際に対流ファンの回転数増加を開始し、過熱温度検出器が所定の温度に到達するまで、対流ファンの回転数を所定の回転数まで増加させ、所定の温度にて対流ファンの回転数増加を停止する。過熱温度検出器が所定の温度に到達すれば対流ファンの回転数増加をし、所定の温度にて燃焼を停止することにて、燃焼室の異常温度上昇を防止する。
【００１４】
【実施例】
（実施例１）
以下、本発明の実施例について図面に基づいて説明する。図１に温風暖房装置の構成を示す。従来例と同一の構成についての説明は省略する。ここではバーナーによる燃焼量が７段階で制御可能な構成とする。燃焼量７レベルを強燃焼とし、燃焼量１を弱レベルとして説明する。ここでは演算制御装置１４を搭載し主制御装置１３と破線のように電気的に接続されている。
【００１５】
図２に前外郭ケースを外した状態での運転開始後のシーケンスを示す。
【００１６】
暖房運転後（Ｓ１）、演算制御装置１４の能力変化切替スイッチを入りにし（Ｓ２）、対流用ファン４の回転数を所定の値まで低下させる（Ｓ３）。燃焼用ファン４の回転数を所定の値まで低下させる事にて、燃焼室２内での過熱温度検出器１１の温度が上昇する。燃焼室内２の過熱温度検出器１１の温度が上昇開始（Ｓ４）すれば対流ファン４の回転数を増加（Ｓ５）させる。
【００１７】
（実施例２）
図３に前外郭ケースを外した状態での運転開始後のシーケンスを示す。
【００１８】
暖房運転後（Ｓ６）、演算制御装置１４の能力変化切替スイッチ（Ｓ７）を入りにし、対流用ファン４の回転数を所定の値まで低下させる（Ｓ８）。対流用ファン４の回転数を所定の値まで低下させる事にて、燃焼室２内での過熱温度検出器１１の温度が上昇する。
【００１９】
燃焼室内２の過熱温度検出器１１の温度が上昇開始（Ｓ９）すれば、過熱温度検出器１１が所定の温度に到達するまで対流ファン４の回転数を所定の回転数まで増加（Ｓ１０）させる。
【００２０】
（実施例３）
図４に前外郭ケースを外した状態での運転開始後のシーケンスを示す。
【００２１】
暖房運転後（Ｓ１１）、演算制御装置１４の能力変化切替スイッチを入りにし（Ｓ１２）、対流用ファン４の回転数を所定の値まで低下させる（Ｓ１３）。対流用ファン４の回転数を所定の値まで低下させる事にて、燃焼室２内での過熱温度検出器１１の温度が上昇する。
【００２２】
燃焼室内２の過熱温度検出器１１の温度が上昇開始（Ｓ１４）し、過熱温度検出器１１が所定の温度上昇を検出した際に各燃焼量毎に定められた所定の温度になれば、対流ファン４を各燃焼量毎に定められた所定の回転数増加を開始し、過熱温度検出器１１が各燃焼量毎に定められた所定の温度に到達するまで、対流ファン４の回転数を各燃焼量毎に定められた所定の回転数まで増加（Ｓ１５）させることを行うことによって、燃焼量が強より弱の時の燃焼室内２の温度を低くし、所定の過熱温度検出器１１の温度にて異常過熱時の温度検知を行うことができる。
【００２３】
（実施例４）
図５に前外郭ケースを外した状態での運転開始後のシーケンスを示す。
【００２４】
暖房運転後（Ｓ１６）、演算制御装置１４の能力変化切替スイッチを入りにし（Ｓ１７）、対流用ファン４の回転数を所定の値まで低下させる（Ｓ１８）。対流用ファン４の回転数を所定の値まで低下させる事にて、燃焼室２内での過熱温度検出器１１の温度が上昇する。過熱温度検出器１１の温度が上昇開始（Ｓ１９）し、温度上昇を検出した際に、燃焼量を４／７以上と３／７以下に区分（Ｓ２０）し、区分（Ｓ２０）された所定の燃焼量４／７（Ｓ２１）以上であれば過熱温度検出器１１が第１の所定の温度に到達するまで、対流ファンの回転数を第２の所定の回転数まで増加させる。また区分（Ｓ２０）された所定の燃焼量３／７以下（Ｓ２２）であれば過熱温度検出器１１が第３の所定の温度に到達するまで、対流ファン４の回転数を第４の所定の回転数まで増加させることを行うことによって、燃焼量が強から弱の中間域にて区分することにより、燃焼量が強より弱の時の燃焼室２内の温度を低くし、所定の過熱温度検出器１１の温度にて異常過熱時の温度検知を行うことができる。実施例では、２段階に区分しているが、数段階区分でも良い。
【００２５】
（実施例５）
図６に前外郭ケースを外した状態での運転開始後のシーケンスを示す。
【００２６】
暖房運転後（Ｓ２３）、演算制御装置１４の能力変化切替スイッチを入りにし（Ｓ２４）、対流用ファン４の回転数を所定の値まで低下させる（Ｓ２５）。対流用ファン４の回転数を所定の値まで低下させる事にて、燃焼室２内での過熱温度検出器１１の温度が上昇する。燃焼室内２の過熱温度検出器１１の温度が上昇開始（Ｓ２６）し、過熱温度検出器１１が温度上昇を検出した際に所定の温度以上（Ｓ２７）になれば、対流ファン４の回転数増加を開始し所定の回転数まで増加（Ｓ２８）させることを行うことによって、過熱温度検出器１１が温度上昇を検出するため、ファン回転数の増加開始を所定の温度以上（Ｓ２７）より開始することにて、通常時の器具個々のファン回転数バラツキ等の誤動作を防ぐ。
【００２７】
（実施例６）
図７に前外郭ケースを外した状態での運転開始後のシーケンスを示す。暖房運転後（Ｓ３５）、演算制御装置１４の能力変化切替スイッチを入り（Ｓ３６）にし、対流用ファン４の回転数を所定の値まで低下させる（Ｓ３７）。対流用ファン４の回転数を所定の値まで低下させる事にて、燃焼室２内での過熱温度検出器１１の温度が上昇する。
【００２８】
過熱温度検出器１１が温度上昇を開始（Ｓ３８）した際に、所定の燃焼量４／７以上と３／７以下に区分（Ｓ３９）し、区分（Ｓ３９）された所定の燃焼量４／７以上（Ｓ４０）であれば過熱温度検出器１１が第５の所定の温度に到達すれば、対流ファン４の回転数増加（Ｓ４１）を開始する。また区分（Ｓ３９）された所定の燃焼量３／７以下（Ｓ４２）であれば過熱温度検出器１１が第６の所定の温度に到達すれば、所定の対流ファンの回転数増加（Ｓ４３）を開始させることにて、燃焼量が４／７以上と３／７以下の中間域にて区分（Ｓ３９）することにより、燃焼量が強より弱の時の燃焼室２内の温度を低くし、通常時のファン回転数を安定させ、且つ器具個々のファン回転数バラツキ等の誤動作を防ぐ。  実施例では、２段階に区分しているが、数段階区分でも良い。
【００２９】
（実施例７）
図８に前外郭ケースまたは、温風吹出口を外し状態での運転開始後のシーケンスを示す。暖房運転後（Ｓ４４）、演算制御装置１４の能力変化切替スイッチを入り（Ｓ４５）にし、対流用ファン４の回転数を所定の値まで低下させる（Ｓ４６）。対流用ファン４の回転数を所定の値まで低下させる事にて、燃焼室２内での過熱温度検出器１１の温度が上昇する。
【００３０】
過熱温度検出器１１が温度上昇開始（Ｓ４７）した際に、過熱温度検出器１１が第７の所定の温度（Ｓ４８）に到達すれば、対流ファン４の回転数増加を開始（Ｓ４９）し、過熱温度検出器１１が第８の所定の温度（Ｓ５０）にて燃焼を停止（Ｓ５１）する。過熱温度検出器１１が第７の所定の温度（Ｓ４８）に到達すれば対流ファン４の回転数増加（Ｓ４９）し、第８の所定の温度（Ｓ５０）にて燃焼を停止（Ｓ５１）することにて、燃焼室の異常温度上昇を防止する。
【００３１】
【発明の効果】
以上のような本発明によれば、修理時等に前外郭ケースを外した時の流入空気量の変化による、運転後の燃焼量能力変化時の吹き消えをファン回転数の回転数低下にて防止することにより、修理時の能力変化確認時の吹き消えも防止できるため修理時間の短縮もできる。また、ファン回転数の低下による燃焼室内の温度上昇を過熱温度検出器にて検知し、回転数を増加させるため、燃焼室の温度上昇も防止でき、器具外装温度が上昇することも防止できるので、装置自体の耐久性の向上につながる。
【図面の簡単な説明】
【図１】本発明の第１の実施例における温風暖房装置の構成図
【図２】本発明の第１の実施例における温風暖房装置の演算制御装置のフローチャート
【図３】本発明の第２の実施例における温風暖房装置の演算制御装置のフローチャート
【図４】本発明の第３の実施例における温風暖房装置の演算制御装置のフローチャート
【図５】本発明の第４の実施例における温風暖房装置の演算制御装置のフローチャート
【図６】本発明の第５の実施例における温風暖房装置の演算制御装置のフローチャート
【図７】本発明の第６の実施例における温風暖房装置の演算制御装置のフローチャート
【図８】本発明の第７の実施例における温風暖房装置の演算制御装置のフローチャート
【図９】従来の温風暖房装置の構成図
【符号の説明】
１  バーナー
２  燃焼室
３  温風
４  対流用ファン
５  温風吹出口
８  対流用フィルター
１１  過熱温度検出器
１３  主制御装置（制御装置）
１４  演算制御装置
１６  前外郭ケース
【図１】
2004184032.tif 000003
【図２】
2004184032.tif 000004
【図３】
2004184032.tif 000005
【図４】
2004184032.tif 000006
【図５】
2004184032.tif 000007
【図６】
2004184032.tif 000008
【図７】
2004184032.tif 000009
【図８】
2004184032.tif 000010
【図９】
2004184032.tif 000011